【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
通信ネットワークを通じて配信可能な電子新聞を作成する電子新聞システムであって、
予め選択された単語に関連付けられたテキスト情報である実体データ、画像情報である実体データ、動画情報である実体データ、又は音声情報である実体データを格納する第１の実体データ記憶装置と、
前記単語と、この単語に関連付けられた実体データの前記第１の実体データ記憶装置における格納場所とが関連付けられた関連付けテーブルが格納された関連付けテーブル記憶装置と、
電子新聞の紙面を構成する電子紙面データに含まれるテキスト部分から、前記関連付けテーブルに含まれる単語を抽出する単語抽出手段と、
前記単語抽出手段によって抽出された単語の前記紙面における配置領域の座標値を、前記電子紙面データから算出する座標値算出手段と、
前記関連付けテーブル記憶装置に格納されている関連付けテーブルを読み出し、前記単語抽出手段によって抽出された単語について関連付けられている実体データの格納場所を、前記読み出した関連付けテーブルから把握する格納場所把握手段と、
前記格納場所把握手段によって把握された格納場所に従って、前記単語について関連付けられている実体データを前記第１の実体データ記憶装置から取得し、取得した実体データを第２の実体データ記憶装置に書き込む実体データ取得手段と、
前記単語抽出手段によって抽出された単語と、前記座標値算出手段によって算出されたこの単語の座標値と、前記格納場所把握手段によって把握されたこの単語に関連付けられている実体データの、前記第２の実体データ記憶装置における格納場所とを関連付けた関連付けデータを作成する関連付けデータ作成手段と
を備えた電子新聞システム。
【請求項２】
請求項１に記載の電子新聞システムにおいて、
前記実体データ取得手段は、前記取得した実体データがテキスト情報である場合、このテキスト情報のイメージ情報を作成し、前記取得した実体データの代わりに、前記作成したイメージ情報を前記第２の実体データ記憶装置に書き込む電子新聞システム。
【請求項３】
請求項１又は請求項２に記載の電子新聞システムにおいて、
ディスプレイと、
操作入力を受け付けるポインティングデバイスと、
前記ディスプレイから前記電子新聞を表示させるとともに、前記ポインティングデバイスになされた操作入力に応じて、前記ディスプレイから、カーソルを移動させながら表示させる表示制御手段と、
前記抽出された単語の前記紙面における配置領域内に、前記カーソルが移動したか否かを、前記関連付けデータに基づいて判定する判定手段とを備え、
前記判定手段によって、前記配置領域内に前記カーソルが移動したと判定された場合には、前記表示制御手段は、前記関連付けデータから、前記配置領域に配置された単語に関連付けられた実体データの格納場所を把握し、前記把握した格納場所から前記実体データを取り出し、この実体データを前記ディスプレイから表示させる電子新聞システム。
【請求項４】
前記単語が人物名である場合、この単語に関連付けられたテキスト情報はこの人物の個人経歴を含み、この単語に関連付けられた画像情報はこの人物の顔写真を含む請求項１乃至３のうち何れか１項に記載の電子新聞システム。
【請求項５】
前記単語が専門用語である場合、この単語に関連付けられたテキスト情報はこの専門用語の解説文を含む請求項１乃至３のうち何れか１項に記載の電子新聞システム。
【手続補正２】
【補正対象書類名】明細書
【補正対象項目名】発明の名称
【補正方法】変更
【補正の内容】
【発明の名称】電子新聞システム
【手続補正３】
【補正対象書類名】明細書
【補正対象項目名】０００１
【補正方法】変更
【補正の内容】
【０００１】
本発明は、例えばインターネット等の通信ネットワークを介して参照される電子新聞紙面の作成、加工、検索、及び閲覧等を行う電子新聞システムに係り、特に、電子新聞紙面に記載された単語に関連する情報を自動的に取得する機能を備えた電子新聞システムに関する。
【手続補正４】
【補正対象書類名】明細書
【補正対象項目名】０００９
【補正方法】変更
【補正の内容】
【０００９】
本発明はこのような事情に鑑みてなされたものであり、電子新聞紙面に記載された単語に関する関連情報を自動的に取得することによって、オペレータの負担を低減するのみならず、オペレータに依存せず、一定の精度で関連情報を収集することを可能にする電子新聞システムを提供することを目的とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
請求項５の発明は、請求項１乃至３のうち何れか１項の発明の電子新聞システムにおいて、単語が専門用語である場合、この単語に関連付けられたテキスト情報はこの専門用語の解説文を含む。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３２
【補正方法】変更
【補正の内容】
【００３２】
特に、請求項２の発明によれば、関連情報をテキストではなく、イメージとして格納することができるので、取り扱いを簡素化することができる。
【手続補正２０】
【補正対象書類名】明細書
【補正対象項目名】００３３
【補正方法】変更
【補正の内容】
【００３３】
更に、請求項３の発明によれば、取得した関連情報の内容を、オペレータが、容易に確認することができる。
【手続補正２１】
【補正対象書類名】明細書
【補正対象項目名】００３４
【補正方法】変更
【補正の内容】
【００３４】
本発明によれば、電子新聞紙面に記載された単語に関する関連情報を自動的に取得することができる。これによって、オペレータの負担を低減するのみならず、オペレータに依存せず、一定の精度で関連情報を収集することが可能な電子新聞システムを実現することができる。